(57)【特許請求の範囲】
【請求項１】
搬送されるシート体の一方の面側に位置する第一のガイド部（５１）と、前記シート体の他方の面側に位置する第二のガイド部（５２）とを備えたシート体ガイド手段（５０）において、前記第一のガイド部（５１）および前記第二のガイド部（５２）の少なくとも一方のガイド部の前記シート体に近接する側に、溝部（５５）が形成され、該溝部（５５）は、シート体の搬送方向に沿うように形成されるとともに、シート体の搬送中心線（Ｃ）を中心として、左右対称であって、シート体の端部が通過する位置に形成されたことを特徴とするシート体ガイド手段。
【請求項２】
前記溝部（５５）が、シート体の単列搬送用の搬送中心線（Ｃ）を中心として左右対称に形成されるとともに、単列搬送用の搬送中心線（Ｃ）を中心として左右対称に設けられるシート体の並列搬送用の搬送中心線（ＣＡ）（ＣＡ）のそれぞれを中心として左右対称に形成された請求項１に記載のシート体ガイド手段。
【請求項３】
前記溝部（５５）が、異なる大きさのシート体に対応すべく、複数形成された請求項１または２に記載のシート体ガイド手段。
【請求項４】
シート体たる感光材料を供給するマガジン（１）と、感光材料を所定の長さに切断するカッタ（３）と、マガジン（１）から供給される感光材料を単列搬送から並列搬送へと切り替え可能な搬送手段（５）と、該搬送手段（５）から搬送される感光材料に光を照射して露光を行う露光ヘッド（９）と、前記露光ヘッド（９）近傍にて前記シート体のガイドを行うシート体ガイド手段とを備えた写真処理装置において、前記シート体ガイド手段が請求項１から３のいずれか１項に記載されたシート体ガイド手段（５０）であることを特徴とする写真処理装置。
【請求項５】
前記第一のガイド部（５１）を介して前記シート体に対して露光を行うべく前記露光ヘッド（９）が設けられ、前記第一のガイド部（５１）には前記露光を行うための開口部（５１Ａ）が形成されており、前記開口部（５１Ａ）における前記シート体の搬送方向下流側に、前記溝部（５５）が形成された請求項４に記載の写真処理装置。
【請求項６】
前記第二のガイド部（５２）の前記シート体側には、前記シート体を前記第一のガイド部（５１）側に付勢する付勢手段（５３）が設けられている請求項５に記載の写真処理装置。
【発明の詳細な説明】
【０００１】
【発明の属する技術分野】
本発明は、シート体の処理を行う種々の装置に用いられるシート体ガイド手段に関し、特にこのシート体ガイド手段を用いて構成される写真処理装置に関するものである。
【０００２】
【従来の技術】
感光材料をロール状に形成して収納されたマガジン内から、感光材料を引き出した後にカットし、カットされたシート体たる感光材料に対して、露光処理および現像処理を行う写真処理処理装置は、従来から知られている。
【０００３】
近年は、かかる写真処理装置におけるデジタル化が進み、例えば、ＰＬＺＴ（透光性圧電セラミックス）等を用いて形成された光シャッタ等から成る露光ヘッドを用いて、露光処理が行われている。このような露光ヘッドを用いた露光処理においては、一般に、一次元配列されたＰＬＺＴ等に近接させた状態で、シート体たる感光材料を搬送させながら、露光処理を行っている。
【０００４】
上述したように、シート体たる感光材料に対する露光処理が、露光ヘッドを用いて、搬送されながら行われる場合においては、搬送中（露光中）の感光材料に振動等が発生すると、感光材料上に形成される画像の品質が低下する。
【０００５】
したがって、従来技術に係る写真処理装置においては、露光中の感光材料に対する振動等を防止して、露光処理部における露光およびピント等を安定させるために、ピント面を維持するガイド手段が設けられている。具体的には、シート体たる感光材料の表面（画像が形成される面）と裏面（表面の反対側の面）とを挟持すべく、感光材料の表面側および裏面側に、ガイド部が設けられている。
【０００６】
【発明が解決しようとする課題】
しかしながら、上記従来技術に係る写真処理装置は、以下のような問題を有していた。
【０００７】
従来技術に係る写真処理装置においては、露光処理を行う際のピント面等を安定させるために、ガイド部が設けられているわけであるが、係る構成によれば、感光材料がガイド部を通過するたびに、ガイド部に対して紙粉等が付着する。ここで、紙粉等とは、感光材料をカットした際に発生する紙粉、および感光材料に付着した埃等をいう。
【０００８】
本来、ガイド部は感光材料のピント面等を安定させるために設けられており、そのために、感光材料を挟持している各ガイド部（のガイド面）の間隔が所定の値に設定されている。しかし、上述のように、ガイド部に紙粉等が付着して堆積すると、その間隔が維持できなくなるため、適切な露光処理を行うことが困難となる。すなわち、従来技術に係る写真処理装置によれば、ガイド部に堆積した紙粉等によって、感光材料上に形成される画像の品質が低下する。
【０００９】
従来技術に係る写真処理装置においては、このような原因による画質の低下を防止するために、露光処理部からガイド部を取り外して、ガイド部の清掃を行う等の煩雑な処理（以下「清掃処理」という。）をユーザ等が行う必要があり、その頻度が多いと、ユーザ等の負担が大きくなるという問題が生ずる。
【００１０】
そこで、本発明は、上記従来技術に係る問題を解決するためになされたものであって、ユーザ等が行う清掃処理の頻度を低減させることが可能であるガイド部を有したシート体ガイド手段を提供することを課題とし、また、係るシート体ガイド手段を用いて構成された写真処理装置を提供することを課題とする。
【００１１】
【課題を解決するための手段】
すなわち、上記課題を解決するための本発明に係るシート体ガイド手段は、搬送されるシート体の一方の面側に位置する第一のガイド部５１と、前記シート体の他方の面側に位置する第二のガイド部５２とを備えたシート体ガイド手段５０において、前記第一のガイド部５１および前記第二のガイド部５２の少なくとも一方のガイド部の前記シート体に近接する側に、溝部５５が形成され、該溝部５５は、シート体の搬送方向に沿うように形成されるとともに、シート体の搬送中心線Ｃを中心として、左右対称であって、シート体の端部が通過する位置に形成されたことを特徴としている。
【００１２】
本発明に係るシート体ガイド手段によれば、前記第一のガイド部５１および前記第二のガイド部５２の少なくとも一方のガイド部の前記シート体に近接する側に、溝部５５が形成されているので、その溝部５５の深さの分だけ、各ガイド部５１，５２が紙粉等の堆積に耐え得ることとなる。すなわち、その溝部５５の深さの分だけ紙粉等が溜まっても、前記シート体の案内に大きな影響を与えることはないので、その紙粉等が溜まる時間だけ、清掃処理を行う間隔を拡げることができる。したがって、本発明によれば、ユーザ等が行う清掃処理の頻度を低減させることが可能であるシート体ガイド手段を得ることができる。
【００１３】
また、前記シート体が搬送される際の案内を、前記シート体ガイド手段にて行う場合には、前記シート体の端部が通過する位置が、通常は、最も紙粉等が堆積しやすい。したがって、この構成によれば、より効果的に（より紙粉等が堆積しやすい位置に）、前記溝部５５を形成することが可能となり、上述した効果を有するシート体ガイド手段を比較的簡単に得ることができる。
また、本発明に係るシート体ガイド手段においては、前記溝部５５が、シート体の単列搬送用の搬送中心線Ｃを中心として左右対称に形成されるとともに、単列搬送用の搬送中心線Ｃを中心として左右対称に設けられるシート体の並列搬送用の搬送中心線ＣＡ，ＣＡのそれぞれを中心として左右対称に形成された構成が好ましい。
【００１４】
また、本発明に係るシート体ガイド手段においては、前記溝部５５が、異なる大きさのシート体に対応すべく、複数形成された構成であることが好ましい。
この好ましい構成によれば、一種類の前記シート体ガイド手段５０（を構成する前記第一および第二のガイド部５１，５２）によって、大きさの異なる複数の前記シート体に対応可能であるので、より経済的に前記シート体ガイド手段を構成可能となる。また、前記シート体の大きさが異なる場合であっても、特に前記ガイド部５１，５２の交換作業等を行う必要がない。
【００１５】
さらに、上記課題を解決するための本発明に係る写真処理装置は、シート体たる感光材料を供給するマガジン１と、感光材料を所定の長さに切断するカッタ３と、マガジン１から供給される感光材料を単列搬送から並列搬送へと切り替え可能な搬送手段５と、該搬送手段５から搬送される感光材料に光を照射して露光を行う露光ヘッド９と、前記露光ヘッド９近傍にて前記シート体のガイドを行うシート体ガイド手段とを備えた写真処理装置において、前記シート体ガイド手段が上述した種々のシート体ガイド手段５０のいずれかの構成を有することを特徴としている。
【００１６】
本発明に係る写真処理装置によれば、上述したシート体ガイド手段５０を備えることによって、ユーザ等が行う清掃処理の頻度を低減させることが可能である等の、前記シート体ガイド手段５０の有する効果を全て備えた写真処理装置を得ることができる。
【００１７】
また、本発明に係る写真処理装置においては、前記第一のガイド部５１を介して前記シート体に対して露光を行うべく前記露光ヘッド９が設けられ、前記第一のガイド部５１には前記露光を行うための開口部５１Ａが形成されており、前記開口部５１Ａにおける前記シート体の搬送方向下流側に、前記溝部５５が形成された構成であることが好ましい。
【００１８】
このような構成としたのは、前記開口部５１Ａにおける前記シート体の搬送方向下流側が、前記シート体の紙粉等が最も付着しやすい部位だと考えられるからである。
【００１９】
また、本発明に係る写真処理装置においては、前記第二のガイド部５２の前記シート体側には、前記シート体を前記第一のガイド部５１側に付勢する付勢手段５３が設けられている構成が好ましい。
【００２０】
この好ましい構成によれば、前記付勢手段によって前記シート体を前記第一のガイド部５１側に付勢することによって、前記シート体に対する露光処理をより安定して行うことができる。また、このように付勢した場合であっても、上述したように、前記開口部５１Ａにおける前記シート体の搬送方向下流側に前記溝部５５が形成されているので、本発明によれば、上述した、シート体ガイド手段５０を備えることによってユーザ等が行う清掃処理の頻度を低減させることが可能である等の、前記シート体ガイド手段５０の有する効果の全てを、適切に発揮することができる。
【００２１】
【発明の実施の形態】
以下、図面に基づいて、本発明の実施の形態を説明する。
【００２２】
図１は、本発明の実施形態に係る写真処理装置の露光処理部およびその周辺の概略断面図を示したものである。
【００２３】
図１に示された本実施形態に係る写真処理装置においては、シート状の被処理物としての感光材料Ｐをロール状にして収容したマガジン１，１から、装置本体２内に感光材料Ｐが供給され、感光材料Ｐの搬送経路上に位置するカッタ３，３によって、感光材料Ｐが所定長さに切断される。
そして、振り分け部４によって、二つのマガジン１，１から供給される感光材料Ｐの何れか（両方もしくは一方）が選択され、選択された感光材料Ｐは、シート（感光材料Ｐ）の搬送機構としての搬送手段５によって、次の露光部６へ搬送される。
【００２４】
露光部６に搬送され、露光部搬送手段７に受け渡された感光材料Ｐは、所定の画像データに基づいて露光ヘッド９を用いて、露光部６内を所定の速度で搬送されながら、デジタル画像の露光が行われる。ここで、画像データは、例えばＣＣＤ電荷結合素子等の撮像素子からなる光学読取器を用いて撮像され、光源部８から、光ファイバーケーブル１０を介して露光ヘッド９に供給される。また、露光ヘッド９は、例えば、ＰＬＺＴ（透光性圧電セラミックス）等を用いて形成された光シャッタ等から成る、移送露光式の露光ヘッドである。
【００２５】
露光処理が行われた感光材料Ｐは、送りローラ、駆動ローラ等のローラ１１を介して、次工程である現像処理等を行うべく、現像処理部（図示省略）に搬送される（矢印Ｘ方向に搬送される）。そして、その後、感光材料Ｐに対しては、現像処理および乾燥処理等が施されて、製品たる写真が完成する。
【００２６】
次に、本実施形態に係る写真処理装置を構成する搬送手段５について説明する。
【００２７】
図１から図４に示すように、搬送手段５は、平板状のベース体１５と、このベース体１５の表面側に配設された搬送レール１６，１６と、この搬送レール１６，１６に沿って可動可能な搬送体１７，１７と、ベース体１５を搬送レール１６の横方向に移動させるための移動機構１８等とを用いて構成されている。
【００２８】
ベース体１５は、横長の矩形状に形成されており、本実施形態においては、感光材料Ｐが上下方向（図２の矢印Ｙ方向）に搬送されるので、ベース体１５の広面積面（搬送レール１６と接する面）が略鉛直方向となるように、装置本体１内に配設されている。
【００２９】
また、ベース体１５の表面側（露光ヘッド９側）の左右両端付近には、搬送される感光材料Ｐの中心線Ｃ（図２，図３参照）（以下「搬送中心線Ｃ」という。）に平行であって、しかも搬送中心線Ｃから同一距離離れた位置に搬送レール１６，１６がそれぞれ配設されている。また、各搬送レール１６，１６上には、それぞれ移動可能な走行体２０が設けられており、この走行体２０に搬送体１７を取り付けることで、各搬送体１７，１７は、それぞれが取り付けられた搬送レール１６，１６を軌道として、移動が可能となるべく構成されている。
【００３０】
さらに、ベース体１５の裏面側には、二つの搬送用モータ２１，２１が固着されており、この搬送用モータ２１の駆動軸には駆動用プーリ２２が軸着される一方、ベース体１５の表面側であって、搬送レール１６の両端部付近には、ベース体１５に回動自在に軸支されたプーリ２３，２４が設けられている。これらのプーリ２２，２３，２４には、無端ベルト２５が巻き掛けられており、この際、プーリ２３，２４間の無端ベルト２５の一方が搬送レール１６と平行になるように構成されている。
【００３１】
そして、搬送体１７には、搬送レール１６と平行状態にある無端ベルト２５に係止可能な係止体２６が取り付けられており、搬送用モータ２１，２１を駆動させることによって無端ベルト２５，２５を回動させ、それに伴って、搬送体１７，１７が搬送レール１６，１６に沿って移動可能であるように構成されている。この際、二つの搬送用モータ２１，２１を同期して駆動させることによって、二つの搬送体１７，１７を同期して移動させることが可能であり、また、二つの搬送用モータ２１，２１を別々に駆動させることによって、二つの搬送体１７，１７を別々に移動させることも可能である。
【００３２】
また、移動機構１８は、搬送レール１６と直交し且つベース体１５の左右両端部に亘ってベース体１５の裏面側に配設された左右移動用レール２８と、この左右移動用レール２８上を移動可能な走行体２９，２９と、この走行体２９，２９を支持して装置本体１側に固着された基台３０と、左右移動用レール２８と平行で且つ基台３０に回動自在に軸支されたボールネジ３１と、このボールネジに螺合すると共にベース体１５に固着されたナット３２と、ボールネジ３１を回転制御する移動用モータ３３等とを用いて構成されている。
【００３３】
そして、移動用モータ３３を駆動させることによって、ボールネジ３１が回転駆動すると共に、このボールネジ３１のリードに沿ってナット３２が搬送中心線Ｃと直交する方向に移動し、それに従ってベース体１５が、基台３０（すなわち、装置本体１）に対し、搬送中心線Ｃと直交する方向に移動するように構成されている。
【００３４】
また、搬送体１７は、感光材料Ｐを保持可能な保持体３４と、この保持体３４に突設された軸３４ａを回動自在に軸支する支持体３５とを備えており、この支持体３５は、係止体２６を介して、レール１６上の走行体２０に取り付けられている。
【００３５】
そして、図５に示すように、保持体３４の一端には、軸３４ａと平行に円柱状の案内ピン３６が突設されている。また、ベース体１５には、搬送体１７の移動方向に平行に側板３７が取り付けられており、この側板３７には、保持体３４の案内ピン３６を挿通可能な案内溝３８が、搬送体１７の移動に伴う案内ピン３６の移動を許容する形状で形成されている。
ここで、案内溝３８は、振り分け部４にて二股に分岐すべく形成されており、その二股部のそれぞれの端部には、保持体３４の二本の案内ピン３６，３６を係止可能であるように、二ヶ所の凹部３８ａ，３８ａが形成されている。
【００３６】
また、振り分け部４にて側板３７には、搬送体１７の経路を切り換えるための手段として、案内杆３９が回転自在に軸支されている。
さらに、側板３７は、二つの保持体３４，３４に対応すべく、保持体３４，３４の側方、すなわちベース体１５の両端縁付近にそれぞれ設けられており、側板３７，３７が保持体３４，３４を挟み込むように構成されている。
また、案内杆３９は、側板３７，３７のそれぞれに対応して二つ設けられている。この二つの案内杆３９，３９は、側板３７，３７に軸支される軸に取り付けられており、軸の回転により、二つの案内杆３９，３９が同期して回転するように構成されている。
【００３７】
したがって、案内杆３９を二つの対向する搬送ローラから成る感光材料Ｐの第一受け渡し部１２側に回転させることで、案内ピン３６が案内杆３９の案内面３９ａに沿うこととなるため、保持体３４は、軸３４ａを中心として、感光材料Ｐの第二受け渡し部１３側に回転して移動する。一方、案内杆３９を第二受け渡し部１３側に回転させれば、案内ピン３６が案内杆３９の案内面３９ｂに沿うこととなるため、保持体３４は、軸３４ａを中心として、感光材料Ｐの第一受け渡し部１２側に回転して移動する。
【００３８】
その結果、支持体３５に回転自在に軸支された保持体３４は、案内溝３８および案内杆３９により、第一受け渡し部１２と第二受け渡し部１３との二方向に回転して支持体３５に対して位置変更可能となる。したがって、保持体３４は、それぞれ、マガジン１，１から供給された、振り分け部４への送り込み位置の異なる感光材料Ｐの何れであっても（第一受け渡し部１２または第二受け渡し部１３であっても）、それぞれ適切に保持することができる。
【００３９】
また、保持体３４は、図６および図７に示すように、断面視凹状の枠体４０の中央部に、所定の間隔を有して搬送中心線Ｃに平行で且つ先端が互いに離間して開放した一対のガイド板４１，４１を設けてなり、このガイド板４１，４１間は、感光材料Ｐが挿入可能であるべく形成されている。
【００４０】
また、枠体４０の凹状部であって、ガイド板４１で仕切られた一方側には、枠体４０の底面４０ａに沿って、図６および図７に示された矢印Ｄ方向に摺動可能な可動体４２が配置されている。
【００４１】
しかも、可動体４２の長手方向の所定間隔には孔４２ａ，…が穿設されており、この孔４２ａ，…にはスプリング４３，…が挿入されている。このように、可動体４２と枠体４０の内側面４０ｂとの間にスプリング４３，…を介装させることによって、可動体４２は、常時、ガイド板４１側に付勢された状態となる。
【００４２】
また、可動体４２の長手方向の所定間隔であって、孔４２ａ，４２ａ間の、この孔４２ａと反対側には、ガイド板４１側には、開口する切り欠き部４２ｂ，…が形成されている。この切り欠き部４２ｂ，…には、切り欠き部４２ｂ，…を連通するように可動体４２の長手方向に挿通された軸４４に軸支された小判型のカム４５，…が配設されている。
【００４３】
したがって、スプリング４３，…によりガイド板４１側に付勢された可動体４２は、カム４５，…に当接することで、移動が規制され、軸４４の回動によりカム４５，…が回動し、可動体４２の位置変更が行われることとなる。
【００４４】
また、可動体４２のガイド板４１側であって、スプリング４３，…と対向する位置には、ガイド板４１，４１間に形成された搬送経路に臨出可能な圧着体４６（以下、「第一の圧着体４６」ともいう。）が設けられている。また、枠体４０には、可動体４２に設けられた圧着体４６に対向すべく、搬送経路を挟んで、圧着体４７（以下、「第二の圧着体４７」ともいう。）が設けられている。
ここで、第一の圧着体４６は、直径が８ｍｍである円柱状に形成される一方、第二の圧着体４７は、第一の圧着体４６の断面より大きい断面を有する角柱状に形成され、それぞれの圧着体４６，４７の対向する端面（圧着面）は、可動体４２の移動方向Ｄに対して直交した平面に形成されている。
さらに、第一の圧着体４６および第二の圧着体４７は、その軸芯が互いに一致し、しかも、可動体４２の移動方向Ｄと平行となるように配置されている。
【００４５】
また、本実施形態において、第一および第二の圧着体４６，４７は、図６（ロ）に示すように、一の保持体３４の三ヶ所に設けられており、感光材料Ｐが如何なる経路から送り込まれても、少なくとも二組の各圧着体４６，４７によって、感光材料Ｐが保持可能であるように構成されている。
図６（ロ）を用いて具体的に説明すると、例えば、最小幅の感光材料（本実施形態においては３．２５インチ幅）が搬送中心線Ｃ１を中心として送り込まれた場合、感光材料の幅Ｌ１（３．２５インチの半分）までとなるが、この場合、感光材料は、第一の圧着体４６ａおよび第二の圧着体４７ａと、搬送中心線Ｃ１を中心として線対称位置に存在する、図示しない他方の保持体の第一の圧着体および第二の圧着体との、二組の圧着体で（二ヶ所で）圧着され保持されることとなる。
また、最大幅の感光材料（本実施形態においては、１２インチ幅）が搬送中心線Ｃ１を中心として送り込まれた場合、感光材料の幅がＬ２（１２インチの半分）までとなるが、この場合、感光材料は、第一の圧着体４６ａおよび第二の圧着体４７ａと、第一の圧着体４６ｂおよび第二の圧着体４７ｂと、第一の圧着体４６ｃおよび第二の圧着体４７ｃと、図示しない他方の保持体の３ヶ所の第一の圧着体および第二の圧着体との、六組の圧着体で（六ヶ所で）圧着され保持されることとなる。
さらに、ベース体１５が移動して、最小幅の感光材料が搬送中心線Ｃ２（図６（ロ）参照）を中心として送り込まれた場合、感光材料の幅がＬ３（３．２５インチ）となるが、この場合、感光材料は、第一の圧着体４６ｂおよび第二の圧着体４７ｂと、第一の圧着体４６ｃおよび第二の圧着体４７ｃとの二組の圧着体で（二ヶ所で）圧着され保持される。
【００４６】
次に、搬送手段５の保持体３５による感光材料Ｐの保持態様について説明する。
【００４７】
まず、図５に示すように、感光材料Ｐを受け渡す側の手段としての第一受け渡し部１２側に、案内杆３９を回転させた後、搬送体１７を振り分け部４側に移動、侵入させることで、保持体３４を、案内溝３８の二股部のうちの第二受け渡し部１３側に、軸３４ａを中心として回転させながら移動させ、二つの案内ピン３６，３６をそれぞれ凹部３８ａに係止させる。
【００４８】
このような状態において、保持体３４は、第二受け渡し部１３で待機する感光材料Ｐに対し、直交した状態、すなわち、保持体３４のガイド板４１，４１の開放端側が感光材料Ｐと対峙し、ガイド板４１，４１が感光材料Ｐと平行となり、且つ、感光材料Ｐの延長線がガイド板４１，４１間を通過するような状態となる。かかる状態を、以下、待機状態という。
【００４９】
保持体３４を第一受け渡し部１２側に移動させるためには、案内杆３９を上述とは逆の方向、すなわち、第二受け渡し部１３側に回転させる必要があるが、このとき、保持体３４を一旦案内溝３８の二股部から退避させた状態で、案内杆３９を第二受け渡し部１３側に回転させることが望ましい。
【００５０】
そして、図８（イ）に示すように、保持体３４が第一受け渡し部１２もしくは第二受け渡し部１３に対し、感光材料Ｐの受け渡しが可能な状態となったならば、各受け渡し部１２，１３に位置する駆動ローラを回転させて、感光材料Ｐを保持体３４のガイド板４１，４１間に挿入させた後、図８（ロ）に示すように、カム４５を可動体４２から離間させるように回転させる。
このとき、可動体４２が、スプリング４３の付勢力により、枠体４０の底面４０ａに沿って摺動して感光材料Ｐ側に移動するので、感光材料Ｐは第一および第二の圧着体４６，４７によって圧着され保持されることとなる。
【００５１】
以上のようにして保持された感光材料Ｐは、図１を用いて説明したように、次は、露光部６へ搬送される。
【００５２】
図９は、露光部６近傍の拡大概略図を示したものである。露光部６には、感光材料Ｐを搬送させるべく機能する露光部搬送手段７と、この露光部搬送手段７にて搬送される感光材料Ｐに露光処理を行うべく機能する露光ヘッド９等とが配置されている。
【００５３】
ここで、露光部搬送手段７は、保持体３４にて保持された感光材料Ｐを受け取る第一のローラ部７１と、搬送される感光材料Ｐを露光ヘッド６（を構成するシャッタ部）の近傍にて挟持して案内するシート体ガイド手段５０と、第一のローラ部７１から送られてきた感光材料Ｐを、シート体ガイド手段５０の上流側で挟持して搬送させる第二のローラ部７２と、シート体ガイド手段５０の下流側で挟持して搬送させる第三のローラ部７３と、露光部搬送手段７を回動可能に軸支している軸支部７４等とを用いて構成されている。
【００５４】
また、露光ヘッド９は、ＰＬＺＴ等を用いて形成された光シャッタ９１等を有しており、このＰＬＺＴは、一次元配列されている。そして、本実施形態においては、この光シャッタ９１に感光材料Ｐを近接させた状態で搬送させながら、露光処理が行われる。
【００５５】
この際、感光材料Ｐに対しては、露光部搬送手段７を構成するシート体ガイド手段５０にて安定した搬送状態が維持されながら、光シャッタ９１を用いた露光処理が行われる。したがって、本実施形態においては、このシート体ガイド手段５０が適切に機能することにより、搬送中（露光中）の感光材料に対する振動等を防止することが可能となるので、露光部６における露光およびピント等を安定させることができる。よって、本実施形態によれば、感光材料上に形成される画像の品質の低下を適当に防止することができる。
【００５６】
上述したシート体ガイド手段５０は、具体的には、図１０および図１１に示すべく構成されている。
ここで、図１０は、図９のＡ部拡大断面図を示したものである。そして、図１１は、シート体ガイド手段５０を構成するガイド部の概略図を示したものであり、図１１（イ）は、図１０のXI−XI線矢視図を示し、図１１（ロ）は、図１１（イ）のＢ−Ｂ断面図を示している。
【００５７】
図１０において、シート体ガイド手段５０は、第一のガイド部５１および第二のガイド部５２を用いて構成されている。そして、感光材料Ｐは、第一のガイド部５１と第二のガイド部５２との間を、矢印Ｚの方向に搬送される。
【００５８】
第一のガイド部５１には、搬送されている感光材料Ｐに対して、光シャッタ９１からの光を照射するための開口部５１Ａが形成されている。また、第二のガイド部５２には、溝部５２Ａが形成されており、この溝部５２Ａには、位置調整具５４を介して圧着用刷毛部５３が設けられている。
【００５９】
第二のガイド部５２に設けられた圧着用刷毛部５３は、シート体ガイド手段５０にて挟持されながら搬送される感光材料Ｐを、第一のガイド部５１側に圧着すべく作用するものである。本実施形態においては、このような刷毛部５３の「腰（いわゆる刷毛部の弾力性）」を利用して感光材料Ｐを第一のガイド部５１側に圧着させているので、感光材料Ｐに対して余計な付加をかけることなく、感光材料Ｐを第一のガイド部５１側に適当に圧着させることができる。
したがって、本実施形態によれば、かかる圧着用刷毛部５３を用いることによって、第一のガイド部５１と第二のガイド部５２との間で、感光材料Ｐを適切に案内することが可能となり、搬送中（露光中）の感光材料Ｐの振動等を防止し、露光部６における露光およびピント等を安定させることができる。
【００６０】
本実施形態に係るシート体ガイド手段５０は、以上のように（図１０等に示すべく）構成されているので、感光材料Ｐは効果的に第一のガイド部５１側に圧着されるが、このような圧着を行うと、第一のガイド部５１に感光材料Ｐに付着した紙粉等が堆積し、第一のガイド部５１等の清掃を頻繁に行わなければならないおそれがある。
【００６１】
そこで、本実施形態においては、第一のガイド部５１等の清掃の頻度を減少させるべく、第一のガイド部５１の所定の位置に、紙粉等を適宜堆積させるための紙粉等堆積溝部（以下、単に「堆積溝部」という。）５５が形成されている。この堆積溝部５５は、あらかじめ、紙粉等が付着しやすい場所に形成されている。
【００６２】
図１１は、かかる第一のガイド部５１の概略図を示したものであり、上述したように、図１１（イ）は、図１０のXI−XI線矢視図を示し、図１１（ロ）は、図１１（イ）のＢ−Ｂ断面図を示している。
【００６３】
図１１に示された第一のガイド部５１には、先述した開口部５１Ａと、紙粉等を適当に堆積させるための堆積溝部５５等とが形成されている。ここで、堆積溝部５５は、第一のガイド部５１上において、紙粉等が堆積しやすい場所に形成されている。
【００６４】
本発明者らは、種々の実験等を行った結果、本実施形態のような構成において紙粉等が堆積しやすい場所は、感光材料Ｐの端部が通過する位置であることに想到した。
【００６５】
そこで、本実施形態においては、複数の種類（幅）の感光材料Ｐの搬送と、単列および並列の搬送を行うべく、第一のガイド部５１に対して、以下のように（図１１に示すように）、堆積溝部５５が形成されている。
【００６６】
すなわち、本実施形態に係るシート体ガイド手段５０を構成している第一のガイド部５１に対しては、感光材料Ｐの搬送中心線Ｃを中心として、左右対称に堆積溝部５５（第一の堆積溝部５５Ａ〜第七の堆積溝部５５Ｇ）が形成されている。
そして、本実施形態に係る写真処理装置において、並列搬送を行える感光材料の幅は、例えば、８２．５ｍｍ（３．２５インチ）、８９ｍｍ、１０２ｍｍ、１１７ｍｍ、１２０ｍｍ、１２７ｍｍ、１５２ｍｍであるが、本実施形態においては、この中でも、比較的使用頻度の高い、８９ｍｍ、１０２ｍｍ、１２７ｍｍ、１５２ｍｍ幅の感光材料Ｐの並列搬送に対応すべく、堆積溝部５５が形成されている。
【００６７】
具体的には、搬送中心線Ｃから距離Ｓ１（９１ｍｍ）だけ離れた位置を第一の搬送中心線ＣＡとし、この第一の搬送中心線ＣＡを中心として、幅Ｔ１１（８５ｍｍ）と幅Ｔ１２（１０５．６ｍｍ）との間に、第三の溝部５５Ｃと第六の溝部５５Ｆとが形成されている。また、第一の搬送中心線ＣＡから距離Ｔ１３（５７ｍｍ）離れた位置から距離Ｔ１４（１３．５ｍｍ）までの間に第七の溝部５５Ｇが形成されている。また、第一の搬送中心線ＣＡから距離Ｔ１５（６１．５ｍｍ）離れた位置から距離Ｔ１６（４ｍｍ）までの間に第二の溝部５５Ｂが形成されている。
さらに、搬送中心線Ｃから距離Ｔ２１（９．５ｍｍ）離れた位置から、搬送中心線Ｃから距離Ｔ２２（５．５ｍｍ）離れた位置までの間に、第一の溝部５５Ａが形成されている。
また、搬送中心線Ｃから距離Ｓ２（８３．５ｍｍ）だけ離れた位置を第二の搬送中心線ＣＢとする。
【００６８】
以上のことから、８９ｍｍ幅の感光材料Ｐを並列搬送する場合には、感光材料Ｐの中心を第一の搬送中心線ＣＡとすることにより、感光材料Ｐの端部が、第三の堆積溝部５５Ｃおよび第六の堆積溝部５５Ｆを通過することとなる。また、１０２ｍｍ幅の感光材料Ｐを並列搬送する場合には、感光材料Ｐの中心を第一の搬送中心線ＣＡとすることにより、感光材料Ｐの端部が、第三の堆積溝部５５Ｃおよび第六の堆積溝部５５Ｆを通過することとなる。また、１２７ｍｍ幅の感光材料Ｐを並列搬送する場合には、感光材料Ｐの中心を第一の搬送中心線ＣＡとすることにより、感光材料Ｐの端部が、第二の堆積溝部５５Ｂおよび第七の堆積溝部５５Ｇを通過することとなる。
さらに、１５２ｍｍ幅の感光材料Ｐを並列搬送する場合には、感光材料Ｐの中心を第二の搬送中心線ＣＢとすることにより、感光材料Ｐの端部が、第一の堆積溝部５５Ａおよび第七の堆積溝部５５Ｇを通過することとなる。
【００６９】
なお、ここで、第四の堆積溝部５５Ｄおよび第五の堆積溝部５５Ｅについては特に説明しなかったが、これらの堆積溝部も、感光材料Ｐの幅に応じて、単列搬送あるいは並列搬送時において、適宜利用されるべく形成されている。
【００７０】
以上説明したように、本実施形態に係るシート体ガイド手段５０を構成する第一のガイド部５１には、紙粉等が溜まりやすい位置に、あらかじめ、堆積溝部５５が形成されている。よって、本実施形態においては、堆積溝部５５の深さｔ（図１１（ロ）参照）の分は、紙粉等が堆積した場合であっても、感光材料Ｐの露光状態にさほど影響を与えることはない。つまり、第一のガイド部５１に紙粉等が堆積して、画質に悪影響を与えるまでの時間を従来よりも延ばすことが可能となる。
したがって、本実施形態によれば、ユーザ等が行う清掃処理の頻度を低減させることが可能であるシート体ガイド手段を備えた写真処理装置を得ることができる。
【００７１】
なお、本発明に係るシート体ガイド手段における堆積溝部の形成位置は、上述した本実施形態の場合に（位置等に）限定されるものでははく、他の紙粉等が溜まりやすい位置に対してであっても、適宜形成可能である。
【００７２】
また、本実施形態においては、堆積溝部の深さを均一に形成した場合について説明したが、本発明はこの構成に限定されるものではなく、特に、紙粉等が堆積しやすい位置については、他の堆積溝部よりも深めの溝部を形成してもよい。
【００７３】
また、本実施形態においては、第一のガイド部に堆積溝部を形成する場合を説明したが、本発明はこの構成に限定されるものではなく、シート体ガイド手段内を搬送される感光材料の圧着される方向等に応じて、堆積溝部の形成箇所等を定めればよい。したがって、例えば、第二のガイド部に堆積溝部を形成してもよい。また、必要に応じて、第一および第二のガイド部の両方に堆積溝部を形成してもよい。
【００７４】
また、本実施形態においては、シート体ガイド手段を写真処理装置に用いる場合について説明したが、本発明はこの構成に限定されるものではなく、シート体を搬送する機構を有する他の装置、例えば、複写機、ファクシミリ等に適用することも可能である。
【００７５】
【発明の効果】
以上説明したように本発明によれば、ユーザ等が行う清掃処理の頻度を低減させることが可能であるガイド部を有したシート体ガイド手段を得ることができる。また、係るシート体ガイド手段を用いることによって、ユーザ等が行う清掃処理の頻度を低減させることが可能である写真処理装置を得ることができる。
【図面の簡単な説明】
【図１】本発明の実施形態に係る写真処理装置を構成する露光処理部およびその周辺の概略図
【図２】図１に示された写真処理装置を構成する搬送手段の概略側面図
【図３】図１に示された写真処理装置を構成する搬送手段の概略正面図
【図４】図２のIV−IV線矢視図
【図５】図１に示された写真処理装置を構成する搬送手段における振り分け部の要部側面図
【図６】図１に示された写真処理装置を構成する搬送手段における保持部であって、（イ）は平面図、（ロ）は保持部を構成する圧着体の配置図
【図７】図６（イ）のVII−VII線断面図
【図８】図１に示された写真処理装置を構成する搬送手段における保持部の断面図であって、（イ）は圧着体が離間している状態を示す概略図、（ロ）は圧着体が接近して感光材料が保持された状態を示す概略図
【図９】図１に示された写真処理装置を構成する露光部近傍の拡大図
【図１０】図９のＡ部拡大図
【図１１】図１０に示されたガイド部の概略図
【符号の説明】
１…マガジン、２…装置本体、３…カッタ、４…振り分け部、５…搬送手段、６…露光部、７…露光部搬送手段、８…光源部、９…露光ヘッド、１０…光ファイバーケーブル、１１…ローラ、１２…第一受け渡し部、１３…第二受け渡し部、１５…ベース体、１６…搬送レール、１７…搬送体、１８…移動機構、２０…走行体、２１…搬送用モータ、２２…駆動用プーリ、２５…無端ベルト、２６…係止体、２８…左右移動用レール、２９…走行体、３０…基台、３１…ボールネジ、３２…ナット、３３…移動用モータ、３４…保持体、３４ａ…軸、３５…支持体、３６…案内ピン、３７…側板、３８…案内溝、３８ａ…凹部、３９…案内杆、４０…枠体、４１…ガイド板、４２…可動体、４３…スプリング、４４…軸、４５…カム、４６…第一の圧着体，４７…第二の圧着体、５０…シート体ガイド手段、５１…第一のガイド部、５１Ａ…開口部、５２…第二のガイド部、５２Ａ…溝部、５３…圧着用刷毛部、５４…位置調整具、５５…堆積溝部、７１…第一のローラ部、７２…第二のローラ部、７３…第三のローラ部、９１…光シャッタ
【図１】
0004507139.tif 000002
【図２】
0004507139.tif 000003
【図３】
0004507139.tif 000004
【図４】
0004507139.tif 000005
【図５】
0004507139.tif 000006
【図６】
0004507139.tif 000007
【図７】
0004507139.tif 000008
【図８】
0004507139.tif 000009
【図９】
0004507139.tif 000010
【図１０】
0004507139.tif 000011
【図１１】
0004507139.tif 000012